(57)【要約】      （修正有）【課題】類似した傘等や、紐やチェーンのついたぶら下がるマークつまりマスコット等の付けれなかった商品に簡単に、外れず固定することが可能なオリジナルマークを付け識別し易くする識別用リングを提供する。【解決手段】合成樹脂、ゴム等の軟質材料で、而も摩擦抵抗の大なる材料にて形成されたバンド１と、このバンドの基端に備えられ、且つ該バンドをループ状に形成して先端が挿通すると共に、任意の位置にて保持する抜け止め部を備えた装飾取付部２−１を有する筒状保持具２とで構成していることを特徴とする。【選択図】図１
0003166173.tif 000002
【実用新案登録請求の範囲】
【請求項１】
合成樹脂、ゴム等の軟質材料で、而も摩擦抵抗の大なる材料にて形成されたバンドと、このバンドの基端に備えられ、且つ該バンドをループ状に形成してその先端が挿通すると共に、任意の位置にて保持する抜け止め部を備えた装飾取付部を有する筒状保持具とで成していることを特徴とする識別用リング。
【請求項２】
前記バンドと前記筒状保持具に取り付けられると共に、前記バンドの食み出し部を切断する取り外し可能のカッターとで成していることを特徴とする請求項１記載の識別用リング。
【請求項３】
前記バンドは、表面又は裏面の一方面に一定間隔にて前記カッターで切断可能な抜け止め溝を複数本形成したことを特徴とした請求項１、又は請求項２記載の識別用リング。
【請求項４】
前記バンドは、表面に一定間隔にて凸状の模様部を設けて、該凸状の模様部間にて形成された空間部を切断用溝としたことを特徴とした請求項１、又は請求項２記載の識別用リング。       
【請求項５】
前記筒状保持具の抜け止め部は、前記バンドの凹凸部との組み合わせで抜け止めとした事を特徴とした請求項１〜４の何れか１記載の識別用リング。
【請求項６】
前記装飾取付部表面に動物、草花等の任意の図柄や立体等の装飾を施したことを特徴とした請求項１〜５の何れか１記載の識別用リング。
【請求項７】
前記筒状保持具の裏に小さな複数の吸盤を設けたことを特徴とする請求項１〜６の何れか１記載の識別用リング。
【請求項８】
前記筒状保持具の裏に手で引っ張れば剥がれるくらいの弱い粘着部を設けたことを特徴とする請求項１〜６の何れか１記載の識別用リング。
【請求項９】
前記筒状保持具の裏に凹みを設けたことを特徴とする請求項１〜６の何れか１記載の識別用リング。
【請求項１０】
前記筒状保持具のバンドの先の出口部分の形状が円のようなカーブのある形や多角形の場合は、前記カッターの刃は前記筒状保持具の出口部分の形状に沿う形としたことを特徴とする請求項１〜９の何れか１記載の識別用リング。
【請求項１１】
前記バンド及び前記筒状保持具は、軟質性ＰＶＣ製としたことを特徴とした請求項１〜１０の何れか１記載の識別用リング。
【考案の詳細な説明】
【技術分野】
【０００１】
本考案は、似たような物にマークを付け識別しやすくする識別用リングに関するものである。
【背景技術】
【０００２】
例えば傘の場合、コンビニ等で販売されているビニル傘や小学校の児童傘、ビニル傘は白色や透明の物が多く、自分のビニル傘と他人のビニル傘の区別がしにくい。現在  ビニル部分に模様が入ったものも出てきてはいるが柄を多く作るにはコスト面でも無理がある。児童傘は無地の似たものが多く色も少なく、似た傘の中から探すのも困難であり、黒や青、紺等の濃い色となると名前を書いても目立たなく自分の物と間違えてしまう。ネームカードも見ないとすぐ自分の傘と判断しにくく個人情報等の観点からも目立つように記入するのに抵抗がある。
【０００３】
既存の商品では、傘の持ち手部分に長い柄のある袋状の布をかぶせ外れないように根元を絞るものがある。これは持つ部分が布のためくるくる回ったり安定に欠けるものであり、雨の日に使うのに布だと濡れると使い勝手の悪いものになる。
【０００４】
また、傘たてに立てたときに、  輪になった色柄の布を持ち手部分からくぐらせ自分のものと分かりやすくするものがある。これも布なので濡れるとカバン等に片付けると不都合がおきる。ビニルにしても外したりしているうちに紛失したり、家においてきてしまい持って来るのを忘れたりしやすい。
【０００５】
シールを貼るという単純な方法もあるが、子供っぽいので大人は受け入れがたい。使用するうちに剥がれてしまう。シール跡も粘つき汚くなる。
【０００６】
実開昭５４−１１３０７９の例では、配線止め具であり、ファッション性は全くなく、合成樹脂（プラスチック）のような硬い素材のため切り込みが入にくく摩擦効果が期待できないため付け位置からずれていく可能性が高い。
【先行技術文献】
【特許文献】
【０００７】
【特許文献１】実開昭５４−１１３０７９
【考案の概要】
【考案が解決しようとする課題】
【０００８】
本考案は類似した傘などに、紐やチェーンのついたぶら下がるマークつまりマスコット等の付けれなかった商品に簡単に、外れず固定することが可能なオリジナルマークを作る事を主要な特徴とする。
【課題を解決するための手段】
【０００９】
本考案は請求項１に記す、合成樹脂、ゴム等の軟質材料で、而も摩擦抵抗の大なる材料にて形成されたバンドと、このバンドの基端に備えられ、且つ該バンドをループ状に形成して先端が挿通すると共に、任意の位置にて保持する抜け止め部を備えた装飾取付部を有する筒状保持具とで成していることを特徴とした識別用リング。
【００１０】
本考案でいう筒状とは円筒に限らず断面が四角状の筒の物も含むものとする。
【００１１】
更に前記バンドと前記筒状保持具に取り付けられると共に、前記バンドの食み出し部を切断する取り外し可能のカッターとで成していることを特徴とした識別用リング。
【００１２】
更に本考案のバンドは、表面又は裏面の一方面に一定間隔にて切断可能な抜け止め溝を複数本形成したことを特徴とした識別用リング。
【００１３】
また本考案のバンドは、表面に一定間隔にて凸状の模様部を設けて、該凸状の模様部間にて形成された空間部を切断用溝としたことを特徴とした識別用リング。      
【００１４】
また本考案の筒状保持具の抜け止め部は、前記バンドの凹凸部との組み合わせとしたことを特徴とした識別用リング。
【００１５】
更に本考案の筒状保持具は、装飾取付部表面に動物、草花等の任意の図柄や立体等の装飾を施したことを特徴とした識別用リング。
【００１６】
また本考案の筒状保持具の裏に小さな複数の吸盤を付けたことを特徴とする識別用リング。
【００１７】
また本考案の筒状保持具の裏に手で引っ張れば剥がれるくらいの弱い粘着部を設けたことを特徴とした識別用リング。
【００１８】
また本考案の筒状保持具の裏に凹みを付けたことを特徴とした識別用リング。
【００１９】
また本考案の筒状保持具のバンドの先の出口部分の形状が円のようなカーブのある形や多角形の場合は、前記カッターの刃は前記筒状保持具の出口部分の形状に沿う形としたことを特徴とした識別用リング。
【００２０】
更に本考案のバンド及び筒状保持具は、軟質ＰＶＣ、例えばＡＴＢＣ−ＰＶＣ製としたことを特徴とした識別用リング。
【考案の効果】
【００２１】
請求項１により本考案のバンドと筒状保持具はゴム状の物や軟質合成樹脂等の弾力性のある摩擦抵抗の高い素材で出来ていることにより、例えば傘のつるつるした持ち手部からカバンの丸みのある持ち手部等、細長いものなら楕円や六角形でも型になじみやすく、ずれにくくフィット感を得られ、更にバンドは可撓性のため柔らかいので取り付け部を傷つけることも少ない。
【００２２】
柔らかい素材にするというのは、結束バンドのような  物を締め付けておくまでの強度は必要なく、取り付け部自体に巻きつけるという感覚の手軽さを持つ。細長い物にしっかりと固定され再利用不可且つ装飾部によって好みのマークを選んだり施せたり、オリジナルマークが出来るので、名前が記してなくても自分の物と判断しやすい。
【００２３】
請求項２によりカッターがあると、前記筒状保持具のバンドの先の出口部分からでる、はみ出した不要のバンド部分がはさみよりきれいな切り口で切り落とすことが可能となる。
【００２４】
請求項３により前記バンドは、表面又は裏面の一方面に一定間隔にて前記カッターで切断可能な抜け止め溝を複数本形成することにより保持具の中のラチェット爪の役割をする凸部とかみ合うことは勿論、バンドの凹部にカッターの刃が切るときに当たって沿うように取り付けられていることを特徴とし、はみ出し部分のバンドを切り取る時バンドの厚みが凹んでいるので少し押さえくい込ますだけで切断がしやすくなる。
【００２５】
請求項４により本考案のバンドは、表面に一定間隔にて凸状の模様部を設けて、該凸状の模様部間にて形成された空間部を切断用溝とすることによりバンド部分へのデザイン幅が円錐の凸部や四角錘の凸部など広がり、また更に二重に凹凸の仕組み作ることも可能なので外れ防止を強固することも可能となる。
【００２６】
請求項５により前記筒状保持具の抜け止め部は、前記筒状保持具と前記バンドの凹凸部の組み合わせとすることによりデザイン幅が広がる。
【００２７】
請求項６により前記筒状保持具は、装飾取付部の表面に動物、草花等の任意の図柄や立体等の装飾を施したことを特徴とすることにより、本考案を例えば白のビニル傘の柄などに取り付けた時、多くの白のビニル傘がある中で自分が選んだマークが一目で分かることとなる。          
【００２８】
請求項７により前記筒状保持具の裏に小さな複数の吸盤を設けることを特徴とすることにより、つるつるした素材に取り付ける時、取り付け位置に吸盤で固定しておけばバンドを締める時にずれないので取り付けやすく、且つ取り付け後のずれを防止する役目を持つ。またバンドを締める時に前記筒状保持具の中の凹凸とのかみ合わせによりバンドと取り付け部に少しの緩みが出たとしても吸盤が収縮の役目をしてバンドの締め具合により緩みをなくしフィット感を高めることが可能となる。
【００２９】
請求項８により前記筒状保持具の裏に弱いジェルやシリコン、エラストマー、ポリウレタン等の弾力性のある粘着部を設けることを特徴とすることにより、ざらざらした布など柔らかめで摩擦が起きにくい素材に取り付ける時、取り付け位置に弱い粘着部で固定しておけばバンドを締める時にずれないので取り付けやすく、且つ取り付け後のずれを防止する役目を持つ。またバンドを締める時に前記筒状保持具の中の凹凸の間隔の開き具合によりかみ合わせでバンドと取り付け部に少しの緩みが出たとしても粘着部に弾力性があるため収縮の役目をしてバンドの締め具合により緩みをなくしフィット感を高めることが可能となる。
【００３０】
請求項９により前記保持具の裏に凹みを付けることを特徴とすることにより前記筒状保持具の装飾部がデコや凹凸のあるデザインにより厚みが出る場合で取り付け部が細めでカーブがきつい場合、図５ｂのように筒状保持具裏に取り付ける棒状の丸みに沿った凹み２０を設けることにより筒状保持具への負担を和らげれるものとする
【００３１】
請求項１０により前記筒状保持具が円のようなカーブのある形や多角形の場合、前記カッターとカッターの刃は前記筒状保持具のバンドの先の出口部分の形状を一部覆って、且つ沿う形をしたことを特徴とすることにより、不要のはみ出たバンド部を前記筒状保持具の外部形状に沿ったきれいな切り口で切り落とすことが可能となり、カッターも外して捨てるだけである。
【００３２】
請求項１１により前記バンド及び前記筒状保持具は、軟質性ＰＶＣ製とすることによりこの素材は柔らかく劣化も少なく摩擦抵抗も高く丈夫さにも優れカラフルな色の組み合わせも可能なのでデザインの幅が広がる。
【００３３】
大体の細長い形なら本考案は使用可能なので使用範囲は広がる。この本考案のゴム状の物や軟質合成樹脂等の弾力性のある摩擦抵抗の高い素材、特に軟質性ＰＶＣの必要性として、本考案を既存の結束バンドのような強度をつけると硬くしっかりとしたものになるので金属刃でもっても引き切り取ることも出来ず摩擦も少なくずれやすくなり取り付け部になじみにくいものとなってしまう。また硬い合成樹脂（プラスチック）だと御菓子のおまけのように子供じみたものになってしまい飾りとしての風合いが安っぽいものになってしまう。
【図面の簡単な説明】
【００３４】
【図１】（ａ）実施前の形態と仕組み例を示した説明図（実施例１）（実施例４）        （ｂ）  筒状保持具に取り付けるカッターの説明図        （ｃ）  正面図
【図２】（ａ）  実施の説明図        （ｂ）  取り付け完了図
【図３】（ａ）  実施前の形態と仕組み例を示した説明図（実施例２）        （ｂ）  実施後の説明図
【図４】（ａ）  デザイン化されたラチェット部（凹凸部）がバンドの左右についた実施前の形態（実施例３）（実施例４）        （ｂ）  取り付け完了図
【図５】（ａ）  筒状保持部の裏にカーブをつけた実施前の形態（実施例７）        （ｂ）  断面図
【図６】筒状保持部の裏に吸盤を設けた実施前の形態（実施例８）
【図７】筒状保持部の裏に粘着部を設けた実施前の形態（実施例９）
【図８】（ａ）  筒状保持部が円の場合のクロックス（登録商標）等に取り付けるアクセサリーのジビッツ（登録商標）等を使用する説明図（実施例５）（実施例１０）        （ｂ）  筒状保持部が円の場合の実施例（実施例５）        （ｃ）  カッター斜視図        （ｄ）  カッター断面図        （ｅ）  カッターの例（実施例６）
【図９】（ａ）  バンド部が平らな場合の本考案（実施例１４）              （ｂ）  保持具とバンドの関係
【図１０】本考案を数個カバンの持ち手に固定させた説明図（実施例１２）
【考案を実施するための形態】
【実施例１】
【００３５】
図１ａは識別用リングを示す斜視図であって、合成樹脂、ゴム等の軟質材料で、而も摩擦抵抗の大なる材料にて形成されたバンド１と、同様に合成樹脂、ゴム等の軟質材料で、而も摩擦抵抗の大なる材料にて形成軟質合成樹脂にて形成された筒状保持具２、更にはカッター３とで成している。
而して、具体的にバンド１は表面に一定間隔にて切断可能な抜け止め溝４を複数本形成している。
ここでいう前記バンドと前記筒状保持具は別々なものから合わせたものと、一体となっているものがあるが、ここでは一体となっているものが好ましい。
【００３６】
図１ａは本考案の未使用時の状態であり、摩擦抵抗の高いゴム状の素材合成樹脂の一種であるATBC−PVCを使用した例としてあげる。本考案は前記筒状保持具となる図１ａの２の中に結束バンドのような構造を取り入れる為、図１ａの５のラチェット爪の働き、つまり戻り方向への移動を阻止する働きをする凸部５を設けたトンネルを作る。前記バンド部分は筒状保持具幅より狭くなり前記筒状保持具のトンネル部分を通るものとする。
【００３７】
素材が摩擦でトンネルを通りにくい場合でも、トンネルの中のラチェット爪等となる引っかかる突起や溝のあるバンドの先部分の１−１の幅や厚みを調整しその先の長さを保持具のトンネル長さより長くすることによりバンドを引き出す事が可能である。バンド先１−１が保持具の入り口１０から入り、出口となる出口１１に、カッター３の側壁左右に凸部８を設けたカッターを１１の穴出口に入れカッターの側壁左右の凸部８が保持具内の凹７にはまることにより、８が軸となりカッターに遊びＣが出来、カッターの位置は図１ｃのようになる。バンド１は５の形状の受けとなる凹部４が連なるものとする。
【００３８】
本考案を図２ａのように取り付けたら食み出しバンド部分１−１が不要なのでＤ部を指で押さえカッター３のカッターの刃３−１を食み出しバンドにくい込ませながらＥの方向に引っ張り切断し切り取り捨てる。この時カッター３は取り外し捨てる。
【００３９】
このときカッターの刃の長さが食み出したバンドの厚みを超えて本体バンドに達しないよう調節されている。前記カッターの刃の長さは食み出したバンドのＶ字凹部の肉厚の厚み以下とする。前記バンドはＶ字凹部としたが、凹凸のひっかかる仕組みのデザインであれば凹凸のデザインはＵ字であったり円錐であったり穴など色々考えられるためその時のデザインのバンドの肉厚とする。カッター３は取り付け完了後役目を終えるので取り除く。
【００４０】
この時カッターを取り出すためのつまみ部をカッターに設けることも出来る。図２ｂは傘の柄に本考案を取り付けた例であるが、本考案は図２ｂのようにしっかり固定されるので、既存の商品のようにカバン等から出し入れすることなく傘の柄部に雨の日でもずっと密着していてどんな太さのもち手や形でも対応でき付け位置も自分で決めることができ自分だけのマークをつけることが可能である。
図１〜図７の例で図８ｃのようなカッターでも可能であるが、ここでの例として図１〜図７の保持具の形状の場合は、食み出しバンドの出ている筒状保持具のバンド出口付近内側に設置することとする。
【００４１】
本考案のカッターの必要性として、前記筒状保持具のバンド出口の刃を本体そのものの素材で加工し作ったとしたら、刃部もバンド部も同じ軟質素材なので力が分散され切れにくく、無理にすると関係のないところが裂けたり切れたりと面がガタガタになりやすいのでカッターが必要となる。
ハサミで切断は可能であるが、ハサミには刃の部分に幅があるため切断したい食み出したバンドの根元で切るには筒状保持部が邪魔となり負担をかけ切り口が汚いものになりやすい。
【００４２】
また表現しようとする質感を変えることにより摩擦抵抗の高さも変えることが出来、例えば表面と裏面で変えれたり筒状の中も質感で摩擦抵抗の高さを変えればバンドが通りやすく出来たりするので本考案への素材の適性が高まる。
摩擦抵抗を更に高めたいのであれば、ゴムなどを高めたい部分、例えば保持具裏にコーティングすることも出来る。
【００４３】
結果、本考案の素材はゴム状のものや軟質な合成樹脂などの摩擦抵抗の高い素材とし、硬質刃は本考案のバンドの厚みを切ることの出来る硬さを持つ刃とする。前記バンドと前記筒状保持具の素材となりうる合成樹脂の軟度は作られるデザインにより変わる。そのため硬質刃は金属であったり、硬質の合成樹脂であったりする。カッターの刃に沿って切られるため切断面はきれいな線となる。
本考案の筒状保持具部分は色んな形が考えられるため、ここでいうカッターとはハサミ状のものや爪切り等の形状も含む切るものをいう。
【００４４】
本考案は誰でもバンド部分をはずす事が出来る仕組みにすると譲り合う事が可能となり、自分のマークの意味が弱まり自分のものかの判断が薄れるので、本考案はハサミで切らない限り外れない。本考案は取り付け時に前記筒状保持具のバンド出口からバンドの先端のはみ出た部分が邪魔な不要なものとなるので切り取り、しかも筒状保持具とバンドが移動阻止手段で動きを固定されるので再利用不可の物となり、間違える事も少なく盗難予防にもなる。
【００４５】
図２は本考案の識別用リングを使用した時の図でバンド先１−１を図２ａのようにに筒状保持具のトンネルのようになった穴に通し図２ａの１６のように取り付け位置を決めたらしっかりとバンドの先１−１を取り付け部の１６に密着するまで引っ張る。この引き出す時カッターの刃が、バンドに傷を付けないように少し斜め前に向いておりカッターの側面左右にある凸部８と保持具内部側面に設けられた凹部７により取り付けられ回転軸の役目をし、図１ｂのＣの動きを生み出す。かつその左右の下辺，図１ｂの１２に示すように丸みをつけるため遊びＢができ傷がつきにくい。
【００４６】
また前記のカッター下辺、図１ｂの１２があるため食み出したバンドを切るとき保持具の中に取り付けられたカッターの刃上部にあたる部分Ｄを押さえることにより食み出したバンド１−１にカッター３の下辺の丸みの作用Ｂが働き、刃が前下に矢印Aで示すように動き、食み出したバンドの根元に図２ａのカッターの刃３−１がくい込み、邪魔で不要となったバンド先１−１部分を手で持って引き切ることが出来る。
【実施例２】
【００４７】
図３ａは識別用リングを示す未使用時側面図であって、軟質合成樹脂にて形成されたバンド１と、同様に軟質合成樹脂にて形成された筒状保持具２、更にはカッター３とで成している。而して具体的にバンド1は、表面に一定間隔にて凸状の模様部１３を設けて、該凸状の模様部１３間にて形成された空間部を切断用溝６としている。
【００４８】
識別用リングが軟質合成樹脂で凹凸の関係を外れないようにするため図３ａの凸部1３の側面に２つ目の凹凸の関係１４と１５のように設けることによりバンドの戻り方向への移動を阻止する効果を高めれる。図３ｂは図３ａを取り付け部に取り付けた時の側面図である。
【実施例３】
【００４９】
図４ａの実施方法は図１ａと同様であるが、バンドの側面に凹凸の５と６、筒状保持具の中にもバンドの側面と同じ凹凸の５と６を作ることにより凹凸の関係で外れないようにしたものである。
【００５０】
図４ａのようにトンネル状になった筒状保持具２とその片側穴出口下の方から続いてバンド１が出る。このバンド部の側方左右に設けた凹部６（凸部５）を設け保持具２の中の凸部５（凹部６）とかみ合うデザインにすれば、このデザインにラチェット機能が生まれ、波型やジグザグのデザインをバンド縁の左右に施すことができる。これにもカッター３を筒状保持具内部つまりバンド出口１１の位置に取り付ける。図４ｂは図４ａを傘の柄に取り付けた例である。
【実施例４】
【００５１】
本考案の筒状保持具２の表面上部の装飾取付部２−１に始めから模様も付けるも可能だが、図１ａのように筒状保持具表面上部２−１を平らにして購入者が自分の好みでデコやビーズなど自分のオリジナルマークをつけることも可能であるため世界に一つだけのマークが可能である。筒状保持具は軽いものであれば色んな形が可能であり、そうして出来た筒状保持具を取り付け部に固定させれる識別具を実現した。
【００５２】
前記のように筒状保持部の装飾のデザインは販売者側があらゆるデザインを無数に考えて販売可能だが、無地の筒状保持具にしての販売であれば購入者自身がデコ、図４ａの９のハートを付けた例やビーズの飾りを貼ったり自由に装飾することにより、世界にひとつだけのオリジナルマークが可能である。
【実施例５】
【００５３】
本考案の筒状保持具２が図８ａに示す円のようなカーブのある形や多角形の場合、直線のカッターの刃では当てはまらず、前記カッターとカッターの刃は図８ｃの２６と３−１が前記筒状保持具のバンドの先の出口部分の図８ｂの保持部の一部２５を覆って、且つ沿う形をしたことを特徴とすることにより、不要のはみ出たバンド部１−１を前記筒状保持具２の外部形状に沿ったきれいな切り口で切り落とすことが可能となり、カッターも外して捨てるだけである。
【００５４】
このカッターは外部設置で使い方は同じである。図８ｃのカッター３にはカッターの刃３−１があり、切り過ぎ防止用ストッパー２４はバンドの下まで切り過ぎないように調節された位置にあり食み出したバンドの上に被さり安定させる役目をし、切り過ぎ防止用ストッパーの上部つまり２６は保持具上部図８ｂの２５にひっかかるように装着されるので更にバンドを切り落とすのに安定効果をだす。図８ｃの２６を図８ｂの２５の位置に合わせるように沿わせ、切り落とすバンドと刃の位置を確認したら図８ｂの２５部、つまり図８ｃの２６にあたる部分を押してバンドに刃をくい込ませ１−１を引っ張り切る。
【実施例６】
【００５５】
前記同様筒状保持具が円のようなカーブのある形や多角形の場合、前記刃は前期筒状保持具のバンドの先の出口部分の形状図８ｂの２５に沿う形のため、例えば前記バンドの幅の爪切り図８のｅのようなカッターでみると上部刃図８ｅの３−１が前記筒状保持具のバンドの先の出口部分の形状をし、下刃図８ｅの３−２は刃ではなく上刃が下部に垂直に当たるよう下部は平らで少し長めになって且つ幅２７はバンド１より狭い幅となる。この場合の前記のはみ出しバンド１−１は前記カッターの邪魔にならないようにカットしておき、仕上げに前記爪切り状のカッターの刃の受け部図８ｅの３−２を前期筒状保持具のバンドの先の出口部分に差込み、上刃のはみ出しバンド１−１の切り落とし位置を確定したら爪切りの要領でレバー２８がＧの動きをすると同時に図８ｅの３−１が下がりはみ出しバンド部１−１を切り落とす。切り落とし後前記カッターは不要となる。
【実施例７】
【００５６】
図５ａと図５ｂの実施方法は図１ａと同様であるが、保持具２の裏に緩やかなカーブのある凹み部２０を設けてある。これは筒状保持具２の装飾取付部２−１に立体装飾等を取り付けた場合取り付け時に筒状保持部２が曲がるため装飾部９へかかる負担を軽くするものである。
【実施例８】
【００５７】
図６の本考案により前記筒状保持具の裏１７に小さな複数の吸盤１８を設けることを特徴とすることにより、つるつるした素材に取り付ける時、取り付け位置に吸盤で固定しておけばバンドを締める時にずれないので取り付けやすく、且つ取り付け後のずれを防止する役目を持つ。またバンドを締める時に前記筒状保持具の中の凹凸とのかみ合わせによりバンドと取り付け部に少しの緩みが出たとしても吸盤が収縮の役目をしてバンドの締め具合により緩みをなくしフィット感を高めることが可能となる。
【実施例９】
【００５８】
図７の本考案により前記筒状保持具の裏１７に弱いジェルやシリコン、エラストマー、ポリウレタン等の弾力性のある粘着部１７を設けることを特徴とすることにより、ざらざらした布など柔らかめで摩擦が起きにくい素材に取り付ける時、取り付け位置に弱い粘着部で固定しておけばバンドを締める時にずれないので取り付けやすく、且つ取り付け後のずれを防止する役目を持つ。またバンドを締める時に前記筒状保持具の中の凹凸の間隔の開き具合によりかみ合わせでバンドと取り付け部に少しの緩みが出たとしても粘着部が弾力性があるため収縮の役目をしてバンドの締め具合により緩みをなくしフィット感を高めることが可能となる。
【実施例１０】
【００５９】
図８ａは筒状保持具２の装飾取付部２−１に袋状の穴２１を開けることにより、クロックス（登録商標）等に付けられる多数のデザインのあるアクセサリー、ジビッツ（登録商標）等２３を穴２２にはめ込む事により既存の商品の使い道を広げる事も可能である。
【実施例１１】
【００６０】
筒状保持部２を蛍光にすることにより暗いところでも分かるようにできる。
【実施例１２】
【００６１】
また図１０はカバンの取っ手に本考案を任意の位置に数個つけた図であるが、自分の選んだマークが他人で重なる場合は数個つけることにより、組み合わせが幾通りも出来るためファッション性も高まり、より自分のものという確実性が高まる。
【００６２】
カバンの持ち手や傘の柄など細長いもの、物がぶら下がると使い勝手が悪くなる物に対し、マークを付けれるようになることで傘間違いや盗難予防の識別具として利用範囲が広がる。
【実施例１３】
【００６３】
バンド部分を広くし筒状保持部にライト機能を付け、自転車のハンドルに付ければ  ライトが壊れた自転車でも簡単にライトをつけることができる。
【実施例１４】
【００６４】
取り付け部の周囲の長さがバンドの長さ図９ａの２９〜３０に当てはまる時、図９ａのようにバンド先の凸部５を数個にするとバンド部中央部表面を平らにすることも可能である。
【実施例１５】
【００６５】
識別具として勿論だが、装飾的に企業名などを入れ宣伝効果を持たせるという利用も出来る。
【実施例１６】
【００６６】
筒状保持部の厚みを抑えたい場合は筒状保持部裏にあたる部分を四角状や円にてくりぬきバンド裏に摩擦効果を高めることも可能である。
（素材ATBC−PVCの説明）
【００６７】
ATBC−PVC（Ａｃｅｔｙｌ  ｔｒｉｂｕｔｙｌ  ｃｉｔｒａｔｅ−ｐｏｌｙｖｉｎｙｌ  ｃｈｌｏｒｉｄｅ）とは、可塑剤を含有する軟質なポリ塩化ビニル（PVC）の一種である。
【産業上の利用可能性】
【００６８】
筒状保持具の装飾取付部に袋状の穴を開けることにより  無数にある既存の商品クロックス（登録商標）等に付けられるアクセサリー、ジビッツ（登録商標）等の飾りをはめ込むことが出来、既存の商品の使い道を広げる事も可能である。このように筒状保持具の装飾デザインは既存の商品からオリジナルなものまで広がる。
【００６９】
第三者の物と  区別のつきにくいビニル傘や児童傘の柄部に、同じものがほぼ無い模様、つまりオリジナルマークを簡単につけれるため、自分の傘の区別が容易になる。また筒状保持具本体の装飾部に装飾的に企業名を入れることにより、宣伝効果をもたせることもできる。
学生のカバン、スポーツバックの持ち手部、リュックショルダー帯部に１個もしくは数個付けることによりファッション性を高める事が出来、学生などのカバンなどであれば生徒みな同じカバンなので区別の効果が高まる。
【符号の説明】
【００７０】
１       バンド
１−１ バンドの先（はみ出しバンド）
２       筒状保持具
２−１ 装飾取付部
３       カッター
３−１ カッターの刃
３−２ カッターの刃の受け部
４       切断可能な切断溝凹部
５       凸部
６       凹部 
７       凹部
８       凸部
９       装飾
１０     バンド先部の入り口
１１     バンド先部の出口
１２     カッター下辺の丸み部
１３     模様となる凸部
１４     小さい凹部
１５     小さい凸部
１６     取り付けられる部分
１７     筒状保持具の裏
１８     吸盤
１９     粘着部
２０     筒状保持具の裏凹部
２１     袋状の穴
２２     穴
２３     ジビッツ等
２４     ストッパー
２５     カッターの設置位置
２６     カッターを固定させるための部分
２７     バンドより狭い幅
２８     レバー
２９     取り付けられる周囲の長さ
３０     取り付けられる周囲の長さ
３１     カバン
Ａ       刃の動き  
Ｂ       丸みによる動き
Ｃ       軸による回転の動き
Ｄ       指で押す方向と位置
Ｅ       手で引っ張る動き
Ｆ       差し込み方向
Ｇ       レバーの動き
【図１】
0003166173.tif 000003
【図２】
0003166173.tif 000004
【図３】
0003166173.tif 000005
【図４】
0003166173.tif 000006
【図５】
0003166173.tif 000007
【図６】
0003166173.tif 000008
【図７】
0003166173.tif 000009
【図８】
0003166173.tif 000010
【図９】
0003166173.tif 000011
【図１０】
0003166173.tif 000012